(57)【要約】【課題】狭い空間を無駄なく利用し、且つ使い勝手に応じた収納ができるスライド式多面収納家具を提供する。【解決手段】スライド格納される引き出し式の収納家具であって、前面方向に開口する手前収納部４と、引き出した収納家具の少なくとも一方向以上の側面に開口した奥側収納部５を有した収納家具本体２とで構成される。外箱１と収納家具本体２とに角棒状で一対のストッパー１６ａ及び１６ｂを設置することで引き出し部の飛び出しを防ぎ、手前収納部４には収納物の落下防止具１０を備える。【選択図】図１
2008228763.tif 000002
【特許請求の範囲】
【請求項１】
スライドして引き出せる家具であって、収納家具本体を前面方向に開口する手前収納部と、少なくとも一方向以上の側面に開口する奥側収納部に分室したスライド式多面収納家具。
【請求項２】
収納家具本体をスライド式に格納できる外箱を備えた請求項１に記載のスライド式多面収納家具。
【発明の詳細な説明】
【技術分野】
【０００１】
本発明は、狭い空間の有効利用が可能な多面式収納家具に関するものである。                                                    
【背景技術】
【０００２】
従来、一般的に隙間家具と呼ばれている狭い空間を有効利用する家具（特許文献１参照）はあるが、常時スライドさせなければ収納ができず、頻繁に使用するものを収納しにくい。
【０００３】
本やCDなどを収納する回転式ラック（特許文献２参照）や多面式の下棚付きのテーブル（非特許文献３参照）などはあるが、収納物を取るために回転させる必要があるなど狭い空間では使用しづらい。
【０００４】
前面がディスプレイ用の２面棚（非特許文献４参照）はあるが、前面棚が跳ね上げ式となる展示用で、前面には雑誌や本などの比較的薄いものしか入れられない。
【０００５】
【特許文献１】特開平６−１１３９２５公報
【特許文献２】実開昭６１−１５３５３９
【非特許文献１】商品名  ミニ本棚ＢＯＮデスク三面ラック（ｔｙｐｅ１）                    ＨＰ    http://item.rakuten.co.jp/gekiyasukaguya/widedesk_3lac/
【非特許文献２】商品名  ２ＷＡＹディスプレイＦｅ９０８０ｄｐ−ＮＡ−ｔｋ                    ＨＰ    http://item.rakuten.co.jp/winshop/fe9080/
【発明の開示】
【発明が解決しようとする課題】
【０００６】
以上に述べた従来の収納家具では、頻繁に使用するものとそうでないものとを分別した上で空間を無駄なく利用し、且つ使い勝手に応じた収納である様には考慮されていない。
【課題を解決するための手段】
【０００７】
上記の課題は、スライドして引き出せる家具であって、収納家具本体を前面方向に開口する手前収納部と、少なくとも一方向以上の側面に開口する奥側収納部に分室したスライド式多面収納家具によって解決される。
【発明の効果】
【０００８】
本発明により、家具本体を前面方向及び側面方向に分けた収納にすることで、使用頻度に応じた分別収納ができ、且つスライド式にすることで幅間隔の狭い場所も有効に活用できる隙間家具としても利用可能な収納家具が提供できる。
【発明を実施するための最良の形態】
【０００９】
以下、本発明の実施形態について、添付図面を参照して説明する。図１は、本発明の一実施形態に係る、収納家具本体２が一体式である収納家具の斜視図である。
【００１０】
図１に示す収納家具は、外箱１に仕切り板３で分割された手前収納部４と奥側収納部５を有した収納家具本体２がスライド格納される引き出し式であり、収納家具本体２には書籍、ＣＤ、ＤＶＤや雑貨、衣料、食品などが収納される。
【００１１】
収納家具本体２の手前収納部４及び奥側収納部５には、内部空間を仕切る中棚６が装着される。中棚６は平板状の部材であり、手前収納部４及び奥側収納部５に等間隔に複数配置された取付け孔７に棚板受具となるビス８を任意の高さに配することで中棚６は着脱自在に装着される。
【００１２】
収納家具本体２は前方にスライドして引き出すための取手９を有し、正面の手前収納部４には収納物の落下防止具１０を施す。落下防止具１０は平板状の部材であり、上部左右に磁石１１を備え、磁石１１に係る位置に配した取付け孔７の着脱可能な鉄製の受け具１２と磁石１１が磁力によって固定される。落下防止具１０の取り付け部１３は取付け孔７に配した着脱可能なバネ式支持部１４によって装着されることにより、落下防止具１０は中棚６同様、着脱自由に装着される。これにより、落下防止具１０を配する位置を収納物によって変えることが出来る。また、落下防止具１０の上部を磁力で固定することで落下防止具が容易に開閉でき、収納物の出し入れがスムーズになる。
【００１３】
図２は本発明の実施形態の平面図で、外箱１と収納家具本体２の上部から見た内部構造である。外箱１の開口部１５の内側前部に、角棒状で一対のストッパー１６ａを有し、引き出し時にはストッパー１６ａが、収納家具本体２の外側後部に設けたストッパー１６ｂに掛かることで、スライド引き出し時の飛び出し防止具となる。
【００１４】
また、外箱１から収納家具本体２を前面に引き出す際、収納物の重みで収納家具本体２が傾くことなくスムーズに引き出せるよう、図３のように収納家具本体２の前面左右にキャスター１７を設ける。格納時にキャスター１７も外箱１の内部に格納できるよう、外箱１前面左右はキャスター１７の格納スペース２３を確保する。
【実施例】
【００１５】
図４は外箱１を固定式の仕切り部１８により分室し、収納家具本体２を一体化せず、外箱１のそれぞれの段に収納家具本体２を個別格納し使用した斜視図で、この実施形態では収納家具本体２を単体で使用することで、従来品の棚の引き出し部として応用することも可能となる。図４では外箱１の各段内側前部に設けたストッパー１９ａと、各収納家具本体２の外側後部のストッパー１９ｂが掛かることで、飛び出し防止具となる。又、各収納家具本体２には前方にスライドして引き出すための取手９と、手前収納部４に落下防止具１０を施す。
【００１６】
これらの実施形態では、収納家具本体２の手前収納部４及び奥側収納部５にそれぞれ、またはどちらか一方に引き出し２０及び引き出し２１を入れて使用することができる。これにより、衣料などの目隠しをしたい収納物や、引き出し時に落下しやすい小物などを収納しやすくなる。
【００１７】
図５は、奥側収納部５の背板２２を中央に配置した場合の上方から見た平面図で、背板２２を中央に配置することで、収納家具本体２を引き出した際、両サイドからの収納が可能となる。また、背板の位置を収納家具本体２の左右の一端に配置することで、奥側収納部５が収納家具本体２の正面から見て右向き開口の収納家具、左向き開口の収納家具となり、設置場所に応じた家具を提供できる。
【００１８】
また、手前収納部４及び奥側収納部５のいずれか一方、もしくは両方の中棚６を外し、ポールを設けることで衣装をかけるハンガーラックとしても使用できることから、本発明を複数並行に設置することにより新しいクローゼットの形状としても応用が出来る。クローゼットとして使用する際は
手前収納部４を全面覆うことの出来る扉を設けることが好適である。
【００１９】
さらに、収納家具本体２に空調装置を備えることで、ワインセラーなど、温度管理が必要な酒類の保管庫としても活用できる。
【図面の簡単な説明】
【００２０】
【図１】本発明の一実施形態に係る収納家具及び中棚６と落下防止具１０の構造を示した斜視図である。
【図２】本発明の実施形態を上方から見た平面図で外箱１と収納家具本体２の内部構造である。
【図３】図２に示す外箱１と収納家具本体２を側面から見た平面図で、ストッパー１６ａ及び１６ｂ、キャスター１７、キャスター格納スペース２３を示す。
【図４】本発明の一実施形態に係る、収納家具本体２を一体式にせず各段を分別し使用した収納家具の斜視図である。
【図５】本発明の一実施形態に係る、奥側収納部５の背板２２を中央に配置した場合の上方から見た平面図である。
【符号の説明】
【００２１】
１      外箱
２      収納家具本体
３      仕切り板
４      手前収納部
５      奥側収納部
６      中棚
７      取付け孔
８      ビス
９      取手
１０    落下防止具
１１    磁石
１２    受け具
１３    取付け部
１４    支持部
１５    開口部
１６ａ  ストッパー
１６ｂ  ストッパー
１７    キャスター
１８    仕切り部
１９ａ  ストッパー
１９ｂ  ストッパー    
２０    引き出し
２１    引き出し
２２    背板
２３    キャスター格納スペース
【図１】
2008228763.tif 000003
【図２】
2008228763.tif 000004
【図３】
2008228763.tif 000005
【図４】
2008228763.tif 000006
【図５】
2008228763.tif 000007